(57)【要約】      （修正有）【課題】ノンスリップ効果に加え、見た目に美しく、装飾性を高めて、金属製品がもつ冷たい感じや無機質感を解消し、設置されるその空間のけしき,ながめを美しくし、景観向上,周りの雰囲気をなごませる図柄入りピット蓋を提供する。【解決手段】表面３ａから裏面３ｂへ貫通する通孔３０を複数設けたステンレス鋼製ピット蓋本体３の該表面３ａに、図柄部分Ｆを取除いた図柄孔２０有りマーキングフィルム２が着脱自在に貼着されたマーキングフィルム２付きピット蓋本体３へのショットブラスト処理により、該図柄部分Ｆが取除かれたピット蓋本体３の表面側露出部分を削り取って、断面形状で起伏がある図柄の窪みが形成されてなる。【選択図】図４
0003167831.tif 000002
【実用新案登録請求の範囲】
【請求項１】
表面(3a)から裏面(3b)へ貫通する通孔(30)を複数設けたステンレス鋼製ピット蓋本体(3)の該表面(3a)に、図柄部分(F)を取除いた図柄孔(20)有りマーキングフィルム(2)が着脱自在に貼着されたマーキングフィルム(2)付きピット蓋本体(3)へのショットブラスト処理により、該図柄部分(F)が取除かれたピット蓋本体(3)の表面側露出部分(31)を削り取って、断面形状で起伏がある図柄の窪み(35)が形成されてなることを特徴とする図柄入りピット蓋。
【請求項２】
前記表面側露出部分(31)に形成された前記図柄の窪み(35)に、さらに、溶射処理による溶射固化粒(5b)で、図柄の肉盛部(37)がピット蓋本体(3)の表面(3a)よりも突出するようにして設けられてなる請求項１記載の図柄入りピット蓋。
【請求項３】
前記溶射固化粒(5b)が色彩を施したカラー色になっている請求項２記載の図柄入りピット蓋。
【考案の詳細な説明】
【技術分野】
【０００１】
本考案は、高速道路のトイレや大浴場,スーパー銭湯、またプール等の脱衣所、さらに厨房などに用いられる図柄入りピット蓋に関する。
【背景技術】
【０００２】
例えば、高速道路のトイレや温泉旅館等の大浴場などには、流水溝等のピットを塞ぐピット蓋が存在する。斯かるピット蓋はステンレス鋼製板状体でできており、大浴場,風呂場などで水に濡れたり石鹸水がかかったりした所は、その上を人が歩くと滑りやすくなっている。
こうしたことから滑り止め機能を付与した改良発明が提案されている（例えば特許文献１,２）。
【先行技術文献】
【特許文献】
【０００３】
【特許文献１】特開２００６−１１９３０８号公報
【特許文献２】特開２００２−５２１８号公報
【考案の開示】
【考案が解決しようとする課題】
【０００４】
しかし、特許文献１,２のピット蓋は、凸状突起や小突条で、いずれも縞鋼板のような形状であり、滑り止めに優れていてもそれ以上のものでなかった。視覚的にも縞鋼板を彷彿させ、安全性追求だけにとどまっていた。
一方、長尺基材上面に溶射コーティング層を形成したグレーチングが開示されているが(実開平５−６７６８８号)、これも滑り止め機能を発揮するにとどまり、溶射コーティング層が長尺基材上面の全域に現れ無機質感を漂わせていた。さらに、グレーチングと違って、ピット蓋となるとその板面が大きくて視界に飛び込み易く、その無機質な面は殺風景さを一層助長する問題があった。
【０００５】
本考案は上記問題点を解決するもので、ノンスリップ効果に加え、見た目に美しく、装飾性を高めて、金属製品がもつ冷たい感じや無機質感を解消し、設置されるその空間のけしき,ながめを美しくし、景観向上,周りの雰囲気をなごませる図柄入りピット蓋を提供することを目的とする。
【課題を解決するための手段】
【０００６】
上記目的を達成すべく、請求項１に記載の考案の要旨は、表面(3a)から裏面(3b)へ貫通する通孔(30)を複数設けたステンレス鋼製ピット蓋本体(3)の該表面(3a)に、図柄部分(F)を取除いた図柄孔(20)有りマーキングフィルム(2)が着脱自在に貼着されたマーキングフィルム(2)付きピット蓋本体(3)へのショットブラスト処理により、該図柄部分(F)が取除かれたピット蓋本体(3)の表面側露出部分(31)を削り取って、断面形状で起伏がある図柄の窪み(35)が形成されてなることを特徴とする図柄入りピット蓋にある。
請求項２の考案たる図柄入りピット蓋は、請求項１で、表面側露出部分(31)に形成された前記図柄の窪み(35)に、さらに、溶射処理による溶射固化粒(5b)で、図柄の肉盛部(37)がピット蓋本体(3)の表面(3a)よりも突出するようにして設けられてなることを特徴とする。請求項３の考案たる図柄入りピット蓋は、請求項２で、溶射固化粒(5b)が色彩を施したカラー色になっていることを特徴とする。
【考案の効果】
【０００７】
本考案の図柄入りピット蓋は、ピット蓋本体の表面に形成された図柄の窪み或いは図柄の肉盛部が、滑り止めに役立つだけでなく、これらが図案の柄,模様で形成されるので、装飾性に優れ、設置された空間のけしき,ながめを美しくし、設置された空間の美化、さらに個性化等の景観向上に優れた効果を発揮する。
【図面の簡単な説明】
【０００８】
【図１】実施形態１で、ピット蓋本体の表面にマーキングフィルムを貼着する様子の斜視図である。
【図２】マーキングフィルム付きピット蓋本体の斜視図である。
【図３】図２のIII-III線矢視図である。
【図４】図３のマーキングフィルム付きピット蓋本体へショットブラスト処理して、図柄の窪みを形成した図柄入りピット蓋の説明断面図である。
【図５】図４のショットブラストを終え、マーキングフィルムを剥がした後の図柄入りピット蓋の模式平面図である。
【図６】図５に代わる他態様の図柄入りピット蓋の説明画像図である。
【図７】実施形態２で、図４の図柄の窪みに溶射処理して図柄の肉盛部を設けた図柄入りピット蓋の説明断面図である。
【図８】図７の溶射処理を終え、マーキングフィルムを剥がした後の図柄入りピット蓋の説明断面図である。
【図９】図８の図柄入りピット蓋の説明画像図である。
【図１０】図１,図８のマーキングフィルムとは別態様のマーキングフィルムの平面図である。
【図１１】図１,図８のマーキングフィルムとは別態様のマーキングフィルムの平面図である。
【図１２】図１０のマーキングフィルムを使って図柄の肉盛部を設けた図柄入りピット蓋の模式平面図である。
【図１３】図１１のマーキングフィルムを使って図柄の肉盛部を設けた図柄入りピット蓋の模式平面図である。
【考案を実施するための形態】
【０００９】
以下、本考案に係る図柄入りピット蓋について詳述する。
（１）実施形態１
図１〜図６は本考案の図柄入りピット蓋の一形態で、図１はピット蓋本体の表面にマーキングフィルムを貼着する様子の斜視図、図２はマーキングフィルム付きピット蓋本体の斜視図、図３は図２のIII-III線矢視図、図４は図３のマーキングフィルム付きピット蓋本体へショットブラスト処理して、図柄の窪みを形成した図柄入りピット蓋の説明断面図、図５は図４のショットブラストを終え、マーキングフィルムを剥がした後の図柄入りピット蓋の模式平面図、図６は図５に代わる他態様の図柄入りピット蓋の説明画像図を示す。
【００１０】
図柄入りピット蓋１は、ピット蓋本体３とマーキングフィルム２とを具備する。
ピット蓋本体３はステンレス鋼製で、その表面３ａから裏面３ｂへ貫通する複数の通孔３０が設けられる。通孔３０はピット蓋本体３の表面側の水を裏面側へ通水,流下させて排水性を良くするもので、図１のごとく表面３ａから裏面３ｂへ貫通する必要大きさの通孔３０が複数設けられる。
【００１１】
マーキングフィルム２は、フィルム本体２ａと粘着部２ｂとを備え、長方形の面状フィルム本体２ａから図柄部分Ｆを取除いた(詳しくは、切り取った)粘着部２ｂ付きフィルム状体で、そのフィルム本体２ａの裏面側に粘着部２ｂが設けられる。マーキングフィルム２の粘着部２ｂはピット蓋本体３へ貼着する時点まで通常、離型紙Ｒに覆われているが、その離型紙Ｒを剥がし(図１)、該粘着部２ｂをピット蓋本体３に接合させてマーキングフィルム２付きピット蓋本体３とする(図２)。離型紙Ｒを剥がす段階で、マーキングフィルム２上に在った図柄部分Ｆのフィルムは、離型紙Ｒに載って剥がされ、図柄部分Ｆが切り抜かれたマーキングフィルム２がピット蓋本体３の表面に貼着される。該マーキングフィルム２は、後述するショットブラスト処理や溶射処理に耐え得る強度や耐熱性を有する厚みのある樹脂製フィルムで造られている。
【００１２】
ここで、マーキングフィルム２とは、一枚ものの片面粘着部２ｂ付き面状フィルムから図柄部分Ｆを取除いた図柄孔２０有りフィルムで、カッティングシート(登録商標)とも呼ばれたりするものである。図柄孔２０のマーキングがされた片面粘着部２ｂ付きフィルム状体になっている。該マーキングフィルム２に係るフィルムには厚みのあるシートも含むものとする。粘着部２ｂは当初、既述のごとく離型紙Ｒで覆われているが、図１のごとく離型紙Ｒを剥がして、ピット蓋本体３の表面に、図柄部分Ｆを取除いた図柄孔２０有りマーキングフィルム２が着脱自在に貼着されてマーキングフィルム２付きピット蓋本体３となる。
【００１３】
そうして、マーキングフィルム２側の上方位置からマーキングフィルム２付きピット蓋本体３へのショットブラスト処理により、図柄部分Ｆが取除かれたピット蓋本体３の表面側露出部分３１を削り取って、断面形状で起伏がある図柄の窪み３５が形成されてなる図柄入りピット蓋１にする(図４)。
【００１４】
本実施形態のブラスト処理は、インペラの遠心力により投射材４ａを投射する機械式を採用し、手動タイプのショットブラスト装置４を用いる。勿論、これに代え、例えばコンベア方式の自動装置を用いてもよい。床面等に、マーキングフィルム２側を上にしてマーキングフィルム２付きピット蓋本体３が水平配設された状態下、その上方から該ピット蓋本体３の表面３ａへ向けてショットブラスト処理し、投射材４ａたる粒子が、図柄孔２０を貫通して、ピット蓋本体３の平坦な表面側露出部分３１の汚れを取り去ると同時に、その表面を荒らし凹凸にする。ピット蓋本体３は、図柄孔２０の表面側露出部分３１以外は、フィルム本体２ａでマスキングされた格好になっているので、ショットブラスト処理されるのは図柄孔２０で開口した表面側露出部分３１のみとなる。
【００１５】
投射材４ａには金属系,セラミック系等があるが、ここではアルミナ粒子を用いる。アルミナ粒子の投射は、ステンレス鋼製ピット蓋の表面へ、凹凸状の起伏ある窪み３５形成に特に有効である。図４の円内拡大断面図のごとく、ショットブラスト処理を行うことによって、当初、上面が平坦であった表面側露出部分３１は、例えばブラスト処理済み窪み３５が多数在る滑り止め効果のある梨地模様となる。
【００１６】
かくして、マーキングフィルム２に設けた図柄部分Ｆ,図柄孔２０に相当する所望の図柄の窪み３５が形成された図柄入りピット蓋１が出来上がる。ノンスリップ効果のみならず景観向上に貢献する図柄の窪み３５が図柄入りピット蓋１の表面に現れる。使用時には、該図柄入りピット蓋１のマーキングフィルム２を剥がして、排水ピットの上面開口に載置し蓋がされる。
尚、本実施形態の図柄部分Ｆは鳥の図柄としたが、種々の図柄を採用できる。例えば、鳥の図柄孔２０に代えて花模様の図柄孔２０のマーキングフィルム２を用いた場合の図柄入りピット蓋１とすることができる(図６)。
【００１７】
（２）実施形態２
本実施形態は、実施形態１で設けられた図柄の窪み３５の部位に、さらに溶射固化粒５ｂで図柄の肉盛部３７を設けてなる図柄入りピット蓋１とする。
図７は図４のショットブラスト処理した後、溶射処理してマーキングフィルム付きピット蓋本体へ図柄の肉盛部を設けた図柄入りピット蓋の説明断面図、図８は図７の溶射処理を終え、マーキングフィルムを剥がした後の図柄入りピット蓋の説明断面図、図９は図８の図柄入りピット蓋の説明画像図、図１０,図１１は図１〜図６,図９で用いたマーキングフィルムと別態様のマーキングフィルムの平面図、図１２,図１３は図１０,図１１のマーキングフィルムを使って図柄の肉盛部を形成した図柄入りピット蓋の模式平面図である。尚、図１０,図１１で黒く塗りつぶされた竹や雪の結晶等の図柄箇所は、図柄孔２０を示す。
【００１８】
実施形態１に係る表面側露出部分３１に形成された図柄の窪み３５に、さらに、溶射処理による溶射固化粒５ｂで、図柄の肉盛部３７がピット蓋本体３の表面３ａよりも突出するようにして設けられる図柄入りピット蓋１とする。
【００１９】
詳しくは、実施形態の図４で、マーキングフィルム２付きピット蓋本体３へのショットブラスト処理により、表面側露出部分３１を削り取って図柄の窪み３５が形成された図柄入りピット蓋１が得られるが、該マーキングフィルム２付きピット蓋本体３(この段階で実施形態１のマーキングフィルム２付き図柄入りピット蓋１になっている。)に係る図柄の窪み３５に、さらに溶射処理による図柄の肉盛部３７を形成する。ピット蓋本体３の表面３ａよりも凹んでいた図柄の窪み３５に、ショットブラスト処理による肉盛でピット蓋本体３の表面３ａよりも突出する図柄の肉盛部３７が設けられる。図柄の窪み３５は、ショットブラストにより予め表面側露出部分３１の表面汚れを取り除いているので、溶射処理による溶射固化粒５ｂの図柄の窪み３５への密着一体化が円滑に進む。そして、凹んでいる図柄の窪み３５よりもピット蓋本体３の表面３ａよりも突出する図柄の肉盛部３７の方が、突出している分だけ滑り止め効果が高くなる。図中、符号５は溶射装置の吹付けノズルを示す。
【００２０】
溶射にはフレーム溶射,爆発溶射,電気式溶射,高速フレーム溶射,コールドスプレー等があるが、本溶射は電気式溶射を採用する。電気式溶射のアーク溶射,プラズマ溶射,線爆溶射等のなかで、コスト面から優れるアーク溶射を採用する。
例えば、マーキングフィルム２側を上にしてマーキングフィルム２付きピット蓋本体３(図柄の窪み３５有りピット蓋本体３)が水平配設された状態下、上方から図柄の窪み３５に向けて溶射処理が行われる。金属製溶射材料が加熱によって液滴化された金属溶射粒５ａとなって、図柄の窪み３５上へ吹き付けられる(図７)。図柄の窪み３５が形成済みのピット蓋本体３は、図柄孔２０の表面側露出部分３１以外は、フィルム本体２ａでマスキングされた格好になっているので、溶射処理されるのは図柄孔２０で開口した表面側露出部分３１に係る図柄の窪み３５のみとなる。溶射粒５ａを図柄の窪み３５上に凝固,密着させて、表面がザラザラした滑り止め効果のある粗面を形成する。模式的に図示すれば、図７の円内拡大図のごとく、ブラスト処理によってピット蓋本体３の表面側露出部分３１に図柄の窪み３５ができて荒らされたその面に、溶射粒５ａの溶着固化粒５ｂが固着して図柄の肉盛部３７を形成する。該溶着固化粒５ｂの皮膜がつくる表面が図示のごとくでこぼこし、ザラザラしたノンスリップ効果ある粗面となる。予めブラスト処理がなされているので、ブラスト処理済み窪み上に、溶着固化粒５ｂの皮膜がアンカー効果で密着固定される。長期に亘って滑り止め効果のある粗面になる。そして、その粗面は図柄孔２０の表面側露出部分３１に限られるので、マーキングフィルム２の図柄部分Ｆに対応する図柄が得られ、装飾性を高める。
さらに、溶射粒５ａの材料を着色し、溶射固化粒５ｂが色彩を施したカラー色になって図柄の肉盛部３７を形成すれば、より一層装飾性を高めることができ、景観向上に役立つものとなる。
【００２１】
かくして、マーキングフィルム２に設けた図柄部分Ｆに相当する所望の図柄の肉盛部３７が形成された図柄入りピット蓋１が出来上がる。ノンスリップ効果のみならず景観向上に威力を発揮する図柄の窪み３５が図柄入りピット蓋１の表面に現れる。使用時には、該図柄入りピット蓋１のマーキングフィルム２を剥がして、従来のピット蓋と同様、排水ピット等の上面開口に載置し蓋がされる。
尚、本実施形態の図柄部分Ｆは図６のような鳥の図柄に代えて図９のごとく植物の葉の図柄としたが、種々の図柄を採用できる。例えば、図１０のごとく竹をあしらった図柄部分Ｆの図柄孔２０を設けたマーキングフィルム２や、図１１のごとく雪の結晶をあしらった図柄部分Ｆの図柄孔２０を設けたマーキングフィルム２を用いることができる。図１２、図１３は、斯かる竹をあしらった図柄部分Ｆや雪の結晶をあしらった図柄部分Ｆで作製された図柄入りピット蓋１の模式平面図を示す。
【００２２】
（３）効果
このように構成した図柄入りピット蓋１は、流水性,排水性を良くする通孔３０を複数設けたステンレス鋼製ピット蓋本体３の表面側のその大きな板面に、断面形状で起伏がある図柄の窪み３５、或いはその図柄の窪み３５へさらに溶射固化粒５ｂで図柄の肉盛部３７を設けるので、ノンスリップ効果に加え、景観向上に優れた効果を発揮する。
【００２３】
ピット蓋は、耐蝕性,衛生面等からステンレス鋼板が採用されることが多く、且つ図６,図９のごとく平板状の大きな板面になっていることから、その板面が視界に飛び込み易く、無機質な金属面がより一層殺風景な雰囲気を漂わしていた。
これに対し、本願考案のように図柄の窪み３５や図柄の肉盛部３７が設けられると、該図柄部分Ｆによってその空間のけしき,ながめを美しくし、景観向上,周りの雰囲気をなごませる。図柄の窪み３５或いは図柄の肉盛部３７が、滑り止めに役立つだけでなく、これらが図案の柄,模様で形成されるので、装飾性に優れ、ながめを美しくし、設置された空間の美化、個性化等の景観向上に役立つ。
特に本願考案のように、図柄孔２０有りマーキングフィルム２が着脱自在に貼着されたマーキングフィルム２付きピット蓋本体３へのショットブラスト処理や溶射処理によって図柄の窪み３５や図柄の肉盛部３７が形成されると、そのマーキングフィルム２はスクリーン印刷と違って、版を作製する必要がないので、小ロットでも簡単に作ることができる。安価に加工、施工でき、さらに一枚からでも可能であり、ピット蓋の設置場所にあった趣ある好みの図柄の窪み３５,図柄の肉盛部３７を選ぶことができ、その選択の自由度が広がる。施工のし易さ,コストの安さ等も魅力がある。
【００２４】
例えば、山里の旅館における大浴場脱衣所に設けられるピット蓋には、その風情を演出する図６や図９の花模様や植物の図柄部分Ｆがある図柄の窪み３５,図柄の肉盛部３７を採用して、さほど費用をかけずにオリジナリティを出して、泊り客を楽しませることができる。また、雪国の旅館における大浴場脱衣所に設けられるピット蓋では、図１１の雪の結晶の図柄部分Ｆを取除いた図柄孔２０有りマーキングシートを用いることによって優雅な雰囲気を醸し出す。
【００２５】
以上のごとく、本考案に係る図柄入りピット蓋１は、図柄の窪み３５や図柄の肉盛部３７が、単にノンスリップ効果にとどまらず、とかく金属の冷たい大きな表面３ａを有するピット蓋の大きな板面に、図柄の窪み３５や図柄の肉盛部３７がつくる外観美麗な図柄部分Ｆが設けられることによって、設置されたその場のけしき,ながめを美しくする。設置された空間の美化、さらに既述のごとく個性化等のオリジナリティを発揮して景観向上に極めて有益となる。
【００２６】
尚、本考案においては前記実施形態に示すものに限られず、目的,用途に応じて本考案の範囲で種々変更できる。マーキングフィルム２,図柄孔２０,ピット蓋本体３,通孔３０,図柄の窪み３５,図柄の肉盛部３７,図柄部分Ｆ,溶射粒５ａ,固化粒５ｂ等の形状,大きさ,個数,材質等は用途に合わせて適宜選択できる。例えば、本実施形態のマーキングフィルム２付きピット蓋本体３では、図柄孔２０を開けて、通孔３０に対応するマーキングフィルム２部分には孔を開けなかったが、この部分も開けたものにすることができる。
【符号の説明】
【００２７】
１            図柄入りピット蓋
２            マーキングフィルム
２０          図柄孔
３            ピット蓋本体
３ａ          表面
３ｂ          裏面
３０          通孔
３１          表面側露出部分
３５          図柄の窪み（窪み）
３７          図柄の肉盛部（肉盛部）
５ｂ          溶射固化粒（固化粒）
【図１】
0003167831.tif 000003
【図２】
0003167831.tif 000004
【図３】
0003167831.tif 000005
【図４】
0003167831.tif 000006
【図７】
0003167831.tif 000007
【図８】
0003167831.tif 000008
【図５】
0003167831.tif 000009
【図６】
0003167831.tif 000010
【図９】
0003167831.tif 000011
【図１０】
0003167831.tif 000012
【図１１】
0003167831.tif 000013
【図１２】
0003167831.tif 000014
【図１３】
0003167831.tif 000015